(57)【要約】【課題】水平方向のサイズを小さくして省スペースで裁断を行えるようにする。【解決手段】シート裁断装置４４は、搬送されてきたシート又はシート束を保持するシート保持部１０２と、このシート保持部よって保持したシート又はシート束の一辺を裁断するシート裁断部１０３と、シート裁断部１０３によってシート又はシート束の他の辺を裁断するため、シート又はシート束を回転させるシート保持回転部１０４手段と、を備え、シート保持部は、シート又はシート束を垂直又は斜めにして保持するようになっている。【選択図】      図５
2005040890.tif 000002
【特許請求の範囲】
【請求項１】
搬送されてきたシート又はシート束を保持する保持手段と、
前記保持手段によって保持した前記シート又はシート束の一辺を裁断する裁断手段と、
前記裁断手段によって前記シート又はシート束の他の辺を裁断するため、前記シート又はシート束を回転させる保持回転手段と、を備え、
前記保持手段は、前記シート又はシート束を垂直又は斜めにして保持することを特徴とするシート裁断装置。
【請求項２】
前記シート又はシート束を前記裁断手段に接近させる接近動作と、前記裁断手段から離間させる離間動作との少なくとも一方の動作を行う位置変更手段を備えたことを特徴とする請求項１に記載のシート裁断装置。
【請求項３】
シート又はシート束を保持する保持手段と、
前記保持手段によって保持した前記シート又はシート束の一辺を裁断する裁断手段と、
前記裁断手段によって裁断した前記シート又はシート束を保持して前記保持手段による保持が解除された後、該シート又はシート束の位置を変える位置変更手段と、
前記位置変更手段によって位置を変更した前記シート又はシート束を保持して前記位置変更手段による保持が解除された後、該シート又はシート束を回転させて他の一辺を前記裁断手段の裁断位置に回転する保持回転手段と、を備え、
前記保持手段は、前記シート又はシート束を垂直又は斜めに保持することを特徴とするシート裁断装置。
【請求項４】
シート又はシート束を保持する保持手段と、
前記保持手段によって保持した前記シート又はシート束の一辺を裁断する裁断手段と、
前記裁断手段によって裁断した前記シート又はシート束を保持して前記保持手段による保持が解除された後、該シート又はシート束を回転させて他の一辺を前記裁断手段に対向させる保持回転手段と、
前記保持回転手段によって回転した前記シート又はシート束を保持して前記保持回転手段による保持が解除された後、前記シート又はシート束の他の１辺を前記裁断手段の裁断位置に移動させる位置変更手段と、を備え、
前記保持手段は、前記シート又はシート束を垂直又は斜めにして保持することを特徴とすることを特徴とするシート裁断装置。
【請求項５】
シート又はシート束を保持する保持手段と、
前記保持手段によって保持した前記シート又はシート束の一辺を裁断する裁断手段と、
前記裁断手段によって裁断した前記シート又はシート束を保持して前記保持手段による保持が解除された後、該シート又はシート束の位置を変える位置変更手段と、
前記位置変更手段によって位置を変更した前記シート又はシート束を保持して前記位置変更手段による保持が解除された後、該シート又はシート束を回転させて他の一辺を前記裁断手段に対向させる保持回転手段と、を備え、
前記位置変更手段は、前記保持回転手段によって回転した前記シート又はシート束を保持して前記保持回転手段による保持が解除された後、該シート又はシート束を移動して他の一辺を前記裁断手段の裁断位置に移動させ、
前記保持手段は、前記シート又はシート束を垂直又は斜めにして保持することを特徴とすることを特徴とするシート裁断装置。
【請求項６】
前記保持回転手段は、前記シート又はシート束の中心又は中心近傍を保持することを特徴とする請求項１，３乃至５のいずれか１項に記載のシート裁断装置。
【請求項７】
前記保持手段が前記シート又はシート束を斜めに保持する角度は、垂直線を中心に左右約６０度の範囲内に設定してあることを特徴とする請求項１，３乃至５のいずれか１項に記載のシート裁断装置。
【請求項８】
前記保持手段は、シート又はシート束を受け止める受け止め板と、前記シート又はシート束を前記受け止め板のシート受け面に押圧する押圧部材とを有して、前記シート受け面は、垂直線を中心に左右約６０度の範囲内に位置していることを特徴とする請求項１，３乃至６のいずれか１項に記載のシート裁断装置。
【請求項９】
前記裁断手段は、前記シート又はシート束の表面と平行な方向に移動して前記シート又はシート束を裁断する裁断刃を備えていることを特徴とする請求項１乃至５のいずれか１項に記載のシート裁断装置。
【請求項１０】
前記裁断刃は、前記移動方向の両側に刃を有して、往復移動可能であることを特徴とする請求項９に記載のシート裁断装置。
【請求項１１】
前記裁断手段は、回転しながら前記シート又はシート束の表面と平行な方向に移動して前記シート又はシート束を裁断する回転刃を備えていることを特徴とする請求項１乃至５のいずれか１項に記載のシート裁断装置。
【請求項１２】
前記回転刃の回転方向は、前記シート又はシート束を請求項８に記載の前記受け止め板に押さえ込む方向に設定されていることを特徴とする請求項１０に記載のシート裁断装置。
【請求項１３】
前記裁断手段は、前記シート又はシート束の表面に対して交差する方向に移動して前記シート又はシート束を裁断する裁断刃を備えていることを特徴とする請求項１乃至５のいずれか１項に記載のシート裁断装置。
【請求項１４】
前記保持回転手段は、シート又はシート束を受け止めて回転する回転部材と、前記シート又はシート束を前記回転部材に押圧する押圧部材とを有していることを特徴とする請求項１，３乃至５のいずれか１項に記載のシート裁断装置。
【請求項１５】
前記シート又はシート束を裁断したときに生じるシート裁断屑を、前記シート又はシート束から離す方向に除去する除去手段を備えていることを特徴とする請求項１乃至１４のいずれか１項に記載のシート裁断装置。
【請求項１６】
シートに画像を形成する画像形成手段と、
前記画像形成手段によって画像を形成されたシート又はシート束の端部を裁断するシート裁断装置と、を備え、
前記シート裁断手段は、請求項１乃至１５のいずれか１項に記載のシート裁断装置であることを特徴とする画像形成装置。
【発明の詳細な説明】
【０００１】
【発明の属する技術分野】
本発明は、シート又はシート束の端部を裁断するシート裁断装置と、このシート裁断装置を装置本体に備えて画像形成済みのシート又はシート束の端部をシート裁断装置によって裁断する画像形成装置とに関する。
【０００２】
【従来の技術】
近年、電子写真複写機、レーザービームプリンタ、ファクシミリ及びこれらの複合機などの画像形成装置のオプションとして、或いは画像形成装置の装置本体に装備されて構成要素の１つとして、画像形成済みのシートを仕分けるソータなどのシート処理装置が開発されている（例えば、特許文献１参照）。
【０００３】
シート処理装置には、ソート機能のみならず、シートを積載・整合して、針綴じするステイプル機能や、シートにファイル用のパンチ孔をあけるシート穿孔機能を備えているものもある。このように、シート処理装置は、多様なシート処理に対応できるようになってきている。
【０００４】
また、シート処理装置は、ステイプル機能を備えたステープラによってシート束を綴じたとき、シート束に各シートの整合ズレが生じて、シート束の端面を不揃いにすることがある。そこで、シート処理装置には、裁断刃によって、シート束の不揃いの端面の端部を裁断して、シート束の端面を揃えるシート裁断装置を設けていることがある。
【０００５】
従来のシート裁断装置を説明する。一般的に普及しているシート裁断装置は、ユーザが手動で裁断刃を往復移動して、シート束の不揃いの端面の端部を裁断して揃えたり、或いは、縁が欠けたシートの端部を裁断して縁を整えたり、シートやシート束の大きさを小さくするときシートやシート束を所望の大きさに裁断したりするようになっている。シートやシート束の端部を裁断して生じるシート裁断屑は、生じる度に、ユーザが排除していた（例えば、特許文献２参照）。
【０００６】
裁断刃を自動で動かすシート裁断装置もある。図１６に示すように、シート裁断装置２０３は、例えば、画像形成装置である複写機２００の装置本体２０１に複写機２００の構成要素の１つとして装備されたシート処理装置２０２内に装備してある。シート裁断装置２０３は、導入排出ローラ２１０によって搬送されてきたシート束の裁断する端部を、移動案内シャフト２１１に沿って往復移動自在な裁断刃２１２によって裁断して、シート束の端面を整えるようになっている。そして、このシート裁断装置２０３は、図１７に示すように、裁断刃２１２でシート束Ｐの端部Ｐａを裁断した後、その端部Ｐａを支持している座２１３を下方に回動させて、座２１３の上の乗っているシート裁断屑Ｐｄをダストボックス１２１に落下させて回収するようになっている。
【０００７】
【特許文献１】
特開２００３−７６０８６号公報（図１）
【特許文献２】
特開平９−１２３０８７号公報（図１）
【０００８】
【発明が解決しようとする課題】
しかし、従来の、自動で裁断刃を動かすシート裁断装置２０３は、解決しなければならない、次の課題を有していた。
【０００９】
従来のシート裁断装置２０３は、前述したように、シート束Ｐを裁断刃２１２で裁断することによって発生するシート裁断屑Ｐｄを、シート表面及びシート保持台２１４から除去するのに、裁断刃２１２の複数回のスライド裁断動作で、すべてのシートを裁断した後、座２１３の部分を揺動させて取り除くようになっている。このため、始めに裁断されて、そのままの状態でシート表面に積載されているシート裁断屑Ｐｄが、その後、スライド移動してくる裁断刃２１２に巻き込まれたり、押し出されたり、或いは散乱したりして、確実にダストボックスに落下するとは限らず、除去不良となり、ジャムの発生原因となっていた。
【００１０】
さらに、シート束Ｐを裁断刃２１２で裁断していくとき、図１８の拡大図に示すように、前述したように、スライドする裁断刃２１２にシート裁断屑Ｐｄが巻き込まれると、裁断刃２１２の側面２１２ａに巻き込まれたシート裁断屑Ｐｄの厚み分だけ、裁断刃２１２が矢印Ｈ方向に撓んで逃げて、端面を段差に裁断し、裁断面を均一に整えて裁断することができないことがあった。
【００１１】
また、例えば、方形状のシート束の３辺を裁断できるシート裁断装置は、シート束を略水平に配置して、シート束の３辺を裁断するため、シート束が回転できるスペースが必要になり、シート裁断装置の水平方向の幅を広く必要とし、シート処理装置２０２の水平方向の幅が広くなっていた。特に、最近のシート処理装置２０２は、高さが多少高くなっても、設置スペースの狭いタイプのものが好まれている。
【００１２】
なお、以上の説明では、シート束について説明したが、縁の一部分が欠けているシートの端部を裁断するとき、特に、厚紙の端部を裁断するときにも、同様な問題が生じていた。
【００１３】
本発明は、シート又はシート束を裁断するときに生じるシート裁断屑を確実に除去して、裁断中の裁断刃がシート裁断屑を巻き込むことなく円滑に移動して裁断面を均一に整えることができ、かつ水平方向のサイズを小さくして省スペースで裁断を行えるシート裁断装置を提供することを目的としている。
【００１４】
本発明は、シート裁断屑を確実に除去するシート裁断装置を装置本体に備えて、そのシート裁断装置によって端面を整えた画像形成済みのシート又はシート束を供給できる画像形成装置を提供することを目的としている。
【００１５】
【課題を解決するための手段】
上記目的を達成するための本発明のシート裁断装置は、搬送されてきたシート又はシート束を保持する保持手段と、前記保持手段によって保持した前記シート又はシート束の一辺を裁断する裁断手段と、前記裁断手段によって前記シート又はシート束の他の辺を裁断するため、前記シート又はシート束を回転させる保持回転手段と、を備え、前記保持手段は、前記シート又はシート束を垂直又は斜めにして保持するようになっている。
【００１６】
本発明の裁断装置は、さらに、前記シート又はシート束を前記裁断手段に接近させる接近動作と、前記裁断手段から離間させる離間動作との少なくとも一方の動作を行う位置変更手段を備えている。
【００１７】
上記目的を達成するための本発明のシート裁断装置は、シート又はシート束を保持する保持手段と、前記保持手段によって保持した前記シート又はシート束の一辺を裁断する裁断手段と、前記裁断手段によって裁断した前記シート又はシート束を保持して前記保持手段による保持が解除された後、該シート又はシート束の位置を変える位置変更手段と、前記位置変更手段によって位置を変更した前記シート又はシート束を保持して前記位置変更手段による保持が解除された後、該シート又はシート束を回転させて他の一辺を前記裁断手段の裁断位置に回転する保持回転手段と、を備え、前記保持手段は、前記シート又はシート束を垂直又は斜めに保持するようになっている。
【００１８】
上記目的を達成するための本発明のシート裁断装置は、シート又はシート束を保持する保持手段と、前記保持手段によって保持した前記シート又はシート束の一辺を裁断する裁断手段と、前記裁断手段によって裁断した前記シート又はシート束を保持して前記保持手段による保持が解除された後、該シート又はシート束を回転させて他の一辺を前記裁断手段に対向させる保持回転手段と、前記保持回転手段によって回転した前記シート又はシート束を保持して前記保持回転手段による保持が解除された後、前記シート又はシート束の他の１辺を前記裁断手段の裁断位置に移動させる位置変更手段と、を備え、前記保持手段は、前記シート又はシート束を垂直又は斜めにして保持するようになっている。
【００１９】
上記目的を達成するため、本発明のシート裁断装置は、シート又はシート束を保持する保持手段と、前記保持手段によって保持した前記シート又はシート束の一辺を裁断する裁断手段と、前記裁断手段によって裁断した前記シート又はシート束を保持して前記保持手段による保持が解除された後、該シート又はシート束の位置を変える位置変更手段と、前記位置変更手段によって位置を変更した前記シート又はシート束を保持して前記位置変更手段による保持が解除された後、該シート又はシート束を回転させて他の一辺を前記裁断手段に対向させる保持回転手段と、を備え、前記位置変更手段は、前記保持回転手段によって回転した前記シート又はシート束を保持して前記保持回転手段による保持が解除された後、該シート又はシート束を移動して他の一辺を前記裁断手段の裁断位置に移動させ、前記保持手段は、前記シート又はシート束を垂直又は斜めにして保持するようになっている。
【００２０】
本発明のシート裁断装置における、前記保持回転手段は、前記シート又はシート束の中心又は中心近傍を保持するようになっている。
【００２１】
本発明のシート裁断装置における、前記保持手段が前記シート又はシート束を斜めに保持する角度は、垂直線を中心に左右約６０度の範囲内に設定してある。
【００２２】
本発明のシート裁断装置における、前記保持手段は、シート又はシート束を受け止める受け止め板と、前記シート又はシート束を前記受け止め板のシート受け面に押圧する押圧部材とを有して、前記シート受け面は、垂直線を中心に左右約６０度の範囲内に位置している。
【００２３】
本発明のシート裁断装置における、前記裁断手段は、前記シート又はシート束の表面と平行な方向に移動して前記シート又はシート束を裁断する裁断刃を備えている。
【００２４】
本発明のシート裁断装置における、前記裁断刃は、前記移動方向の両側に刃を有して、往復移動可能になっている。
【００２５】
本発明のシート裁断装置における、前記裁断手段は、回転しながら前記シート又はシート束の表面と平行な方向に移動して前記シート又はシート束を裁断する回転刃を備えている。
【００２６】
本発明のシート裁断装置における、前記回転刃の回転方向は、前記シート又はシート束を請求項８に記載の前記受け止め板に押さえ込む方向に設定されている。
【００２７】
本発明のシート裁断装置における、前記裁断手段は、前記シート又はシート束の表面に対して交差する方向に移動して前記シート又はシート束を裁断する裁断刃を備えている。
【００２８】
本発明のシート裁断装置における、前記保持回転手段は、シート又はシート束を受け止めて回転する回転部材と、前記シート又はシート束を前記回転部材に押圧する押圧部材とを有している。
【００２９】
本発明のシート裁断装置における、前記シート又はシート束を裁断したときに生じるシート裁断屑を、前記シート又はシート束から離す方向に除去する除去手段を備えている。
【００３０】
上記目的を達成するため、本発明の画像形成装置は、シートに画像を形成する画像形成手段と、前記画像形成手段によって画像を形成されたシート又はシート束の端部を裁断するシート裁断装置と、を備え、前記シート裁断手段は、上記いずれか１つのシート裁断装置である。
【００３１】
【発明の実施の形態】
以下、本発明の実施形態のシート裁断装置と、このシート裁断装置を装置本体に備えた画像形成装置の１例である複写機とを図面に基づいて説明する。シート裁断装置は、シート処理装置としてのフィニッシャ内に装備してある。なお、シート裁断装置は、シートとシート束を裁断できるようになっており、シート、シート束ともに裁断動作が同様であるで、以下の説明では、シート束を裁断する動作説明をして、シートを裁断する動作説明は省略する。
【００３２】
（画像形成装置）
図１は、画像形成装置である例えば複写機の断面図であり、複写機をシート搬送方向に沿った断面図である。
【００３３】
複写機１００は、装置本体１、原稿送り装置２、シート処理装置であるフィニッシャ１９で構成されている。フィニッシャ１９内には、シート裁断装置４４を装備してある。
【００３４】
複写機の装置本体１の上部には、原稿Ｄを読取位置７に送り込む原稿送り装置２を開閉自在に装備してある。なお、原稿送り装置２は、必ずしも必要としない。ユーザが原稿を１枚ずつ、後述する読取位置７に置くことによって、装置本体１に原稿を読み取らせることができるので、原稿送り装置２は、必ずしも、必要としない。
【００３５】
原稿Ｄは、原稿載置部３に載置されて給送部４により１枚ずつ順次分離されて読取位置７に供給される。続いて、原稿Ｄは、レジストローラ対５によって一旦停止させられて、ループを形成されることによって斜行を矯正される。その後、原稿Ｄは、導入パス６を通り、読取位置７を通過して、原稿表面に形成された画像が読み取られる。読取位置７を通過した原稿は、排出パス８を通り、排出トレイ９上に排出される。
【００３６】
また、原稿の表裏両面を読み取る場合には、まず、上記のように、原稿Ｄは、読取位置７を通過して表面の画像を読み取られる。その後、原稿Ｄは、排出パス８を通り、反転ローラ対１０によってスイッチバック搬送されて表裏反転された状態で、再度、レジストローラ対５へ送られる。そして、原稿Ｄは、表面読み取りと同様にして、レジストローラ対５で斜行を矯正されてから、導入パス６を通り、読取位置７を通過する。原稿Ｄは、読取位置７を通過するとき、表面（このときは裏面）に形成された画像を読み取られる。最後に、原稿Ｄは、排出パス８を通り、排出トレイ９に排出される。
【００３７】
複写機１００の本体１内においては、読取位置７を通過する原稿画像に照明系１１の光を照射することで得られる反射光を、ミラー１２，１２，１２によって、光学素子１３（ＣＣＤあるいは他の素子）や画像形成手段である例えば感光体ドラム１４に投射した後、感光体ドラム１４にトナー像を形成し、そして、そのトナー像を被記録媒体に転写して、被記録媒体に画像を形成するようになっている。
【００３８】
被記録媒体には、普通紙、プラスチックフィルム、圧紙、オーバーヘッドプロジェクタ用の用紙、はがき等がある。被記録媒体は、シートとも呼ばれることがある。以下、被記録媒体をシートという。
【００３９】
感光体ドラム１４は、記録された原稿画像に対応する光が照射されて潜像が形成されて、不図示のトナー供給装置から供給されたトナーによってトナー像が形成される。一方、カセット１５には、シートＰを多数枚収容してある。シートは、記録信号に応じてカセット１５から感光体ドラム１４と対向する位置まで供給される。そして、シートは、感光体ドラム１４に形成されたトナー像を転写装置１６によって転写される。そして、トナー像が転写されたシートは、定着装置１７に送られて、トナー像を定着される。
【００４０】
シートの両面に画像を形成する場合、定着装置１７によって片面に画像が定着されたシートは、定着装置１７の下流側に設けた両面パス１８を通って、表裏反転され、再度、感光体ドラム１４と転写装置１６との間に送り込まれる。シートは、裏面にトナー像を転写される。そして、シートは、定着装置１７で裏面にトナー像を定着されて、外部（フィニッシャ１９側）に排出される。
【００４１】
（シート処理装置）
図１は、画像形成装置である例えば複写機の断面図であり、複写機をシート搬送方向に沿った断面図である。図２は、シート処理装置の拡大図であり、シート処理装置をシート搬送方向に沿った断面図である。図３は、シート処理装置内の処理トレイとステープラの平面図である。図４は、搬送ベルト周辺の図である。図４（ａ）は、搬送ベルト、プーリ等の斜視図である。図４（ｂ）は、搬送ベルト周辺の正面図である。
【００４２】
図１に示すように、シート処理装置としてのフィニッシャ１９は、複写機１００の装置本体１の側方に連結された、複写機の構成要素の１つである。搬送ガイド対２０は、複写機１００の装置本体１の排紙ローラ対２１から排出されたシートを受け取って、フィニッシャ１９内に案内する。
【００４３】
図２に示すシート検知センサＳ１は、フィニッシャ１９に進入してきたシートを検出する。排出ローラ対２２は、シートを狭持して搬送する。処理トレイ２３は、排出ローラ対２２から排出されたシートを受け止める。シートは、処理トレイ２３に載置されて積載される。
【００４４】
整合板２４は、排出されるシートの搬送方向に沿ってシートの両側にそれぞれ配置されて、処理トレイ２３に排出されたシートの両端をガイドして幅寄せ整合する。ストッパ２５は、処理トレイ２３に排出されて自重で落下するシートの後端を破線の位置で受け止める。回転軸２６上には、第１プーリ２８と搬送下ローラ３０（図３参照）を配置してある。回転軸２７上には、第２プーリ２９を配置してある。搬送ベルト３１は、第１プーリ２８と第２プーリ２９とに張り渡してある。搬送ベルト３１の外周には、押し出し爪３２を突設してある。搬送上ローラ３３は、一点鎖線の第１の位置（離間位置）と、搬送下ローラ３０に加圧される実線の第２の位置（当接位置）とに位置を変えられるようになっている。
【００４５】
ステープラ３４、３５を説明する。図２、図３に示すように、ステープラ３４、３５は、シート束の搬送経路を挟んで下ステープラ３４と上ステープラ３５とによって構成されている。下ステープラ３４は、針カートリッジ、針を打ち込む打ち込み部、及び針カートリッジから打ち込み部に針を送る針送り部等を有している。上ステープラ３５は、下ステープラ３４から打たれる針を折り曲げる折り曲げ部を有している。下ステープラ３４は、軸３６を中心にして上下方向に揺動するようになっている。上ステープラ３５は軸３７を中心にして上下方向に揺動するようになっている。また、下ステープラ３４、上ステープラ３５は、各々軸３６、３７にスラスト方向（シート搬送方向と交わる幅方向）に移動自在に設けてある。下ステープラ３４は、ねじ軸であるスクリュー軸３８にねじ込まれた雌ねじを有している。下ステープラ３４は、スクリュー軸３８の回転によってスラスト方向に往復移動するようになっている。上ステープラ３５は、ねじ軸であるスクリュー軸３９にねじ込まれた雌ねじを有している。上ステープラ３５は、スクリュー軸３９の回転によってスラスト方向に往復移動するようになっている。上ステープラ３５と下ステープラ３４の下流側には、搬送されるシートを反転させる反転フラッパー４２と反転ローラ４３を配設してある。
【００４６】
昇降トレイ４０を説明する。図１、図２に示すように、昇降トレイ４０は、垂直方向に移動可能（昇降可能）にフィニッシャ１９の装置本体９８に案内されて、実線で示す位置と二点鎖線で示す位置との間を昇降するようになっている。紙面検知センサＳ２は、昇降トレイ４０上のシートの最上面を検知するようになっている。後端ガイド４１は、略垂直な面で構成されて、昇降する昇降トレイ４０上のシートの後端をガイドするようになっている。
【００４７】
シート裁断装置４４を概略説明する。シート裁断装置４４の詳細な説明は後述する。シート裁断装置４４は、シート反転部９９から搬送されてくるシート束を裁断する装置である。
【００４８】
シート裁断装置４４は、導入排出ころ４５ａと協働して、シート束を所定の位置まで狭持して、搬送する導入排出ローラ４５、導入排出ローラ４５の対向側には離間可能な導入排出ころ４５ａ、シート又はシート束の先端を検知して、シート又はシート束を所定の裁断位置へ停止させるための裁断センサＳ５、所定の裁断位置に止められたシートを固定する押さえ部材４６、シートを裁断する裁断刃４７（図５参照）を有する移動ユニット４８等を備えている。
【００４９】
ダストボックス４９は、裁断処理後に発生するシート裁断屑Ｐｄを受け取るようにシート裁断装置４４の下方に配置してある。排出ローラ５０は、裁断されたシートを搬送・排出するようになっている。スタックトレイ５１は、裁断されたシートが積載されるようになっている。
【００５０】
処理トレイ２３の関係について説明する。図３に示すように、処理トレイ２３の回転軸２６，２７は、フレーム５２，５３に回転自在に支持してある。回転軸２６には、搬送下ローラ３０を固着してある。第１プーリ２８は回転軸２６に配置してある。第１プーリ２８の内部には、不図示の公知のワンウェイクラッチを内蔵してある。第１プーリ２８は、図４において、回転軸２６の反時計回り方向への回転で回転し、時計回り方向への回転で回転力が断たれて停止するようになっている。回転軸２６には、ギア５４を固着してある。搬送モータ５５の出力軸には、ギア５６を固着してある。ギヤ５６は、ギア５４に噛み合っている。
【００５１】
シートを昇降トレイ４０に搬送する方向（第１の方向）に搬送モータ５５が回転すると、搬送モータ５５の回転力がギア５６，５４を介して回転軸２６に伝達される。このとき、第１プーリ２８内のワンウェイクラッチが噛み合って、回転軸２６の回転力が第１プーリ２８に伝達されて、搬送ベルト３１が回転する。次に、搬送モータ５５が反対方向（第２の方向）に回転すると、第１プーリ２８内のワンウェイクラッチは、回転力を断ち、搬送ベルト３１には、回転力が伝達されない。
【００５２】
図１、図３に基づいて、フィニッシャ１９におけるステープラの移動動作を説明する。前述したように、スクリュー軸３８には、下ステープラ３４が係合して、ギア５７を固着してある。ステイプラシフトモータ５８の出力軸には、ギア５９を固着してある。ギア５９は、ギア５７に噛み合っている。
【００５３】
ステイプラシフトモータ５８の回転力は、ギア５９，５７を介してスクリュー軸３８に伝達されるようになっている。ギア５７には上ステープラ３５を移動させるギア８９がアイドルギアを介して噛み合っている。ギア８９は、スクリュー軸３９に固着してある。したがって、ギア５７が回転すると、スクリュー軸３８，３９が同じ方向に回転して、下ステープラ３４と上ステープラ３５とが同期してスラスト方向に移動するようになっている。下ステープラ３４にはフラグ６０を設けてある。ステープラ３４，３５のホーム位置には、フラグ６０を検知するステイプラセンサＳ３を配設してある。ステイプラセンサＳ３には、フォトセンサを使用している。
【００５４】
搬送ベルト３１とその周辺を説明する。図４（ａ）は、搬送ベルト周辺の構成を示す斜視図である。図４（ｂ）は、搬送ベルト周辺の構成を示す正面図である。
【００５５】
搬送ベルト３１は、回転軸２６，２７にそれぞれ配設された第１プーリ２８と第２プーリ２９とに張り渡してある。搬送ベルト３１には、孔３１ａを形成してある。押し出し爪ホームセンサ６１は、孔３１ａを検知する透過型フォトセンサである。押し出し爪ホームセンサ６１は、図４（ａ）（ｂ）に示すように、搬送ベルト３１の孔３１ａを検知して、搬送ベルト３１の循環位置を検知し、押し出し爪３２のホーム位置を検知するようになっている。搬送下ローラ３０と搬送上ローラ３３のニップＮからストッパ２５までの長さＬ１、ニップＮから押し出し爪３２までの長さをＬ２は、Ｌ１＜Ｌ２の関係に設定してある。
【００５６】
不図示の搬送ソレノイドが作動して、搬送上ローラ３３が図４（ｂ）の実線で示す位置に降下すると、搬送上ローラ３３は、シート束を搬送下ローラ３０に押圧する。そして、搬送モータ５５（図３参照）が回転を始める。すると、回転軸２６が反時計回り方向（図４（ｂ）中、矢印方向）に回転する。搬送下ローラ３０も同方向に回転する。この結果、搬送下ローラ３０は、シート束を図４（ｂ）中、矢印ａ方向に搬送する。
【００５７】
そして、シート束は、搬送ローラ対３０，３３のニップＮを抜けると停止する。その後、搬送ベルト３１の回転にともなって、シート束の後端に押し出し爪３２が当たる。押し出し爪３２は、シート束を押して、昇降トレイ４０の方（図４（ｂ）、図１中、矢印ａ方向）に搬送する。
【００５８】
（シート裁断装置の構成）
図５は、シート裁断装置４４をシート搬送方向から見た図である。図６は、図５のシート裁断装置４４を上方から見た図である。
【００５９】
シート裁断装置４４は、シート又はシート束を保持する保持手段として例えばシート保持部１０２、シート保持部１０２に保持されたシート又はシート束の一辺を裁断する裁断手段として例えばシート裁断部１０３、シート又はシート束を保持して回転し、切断していないシート又はシート束の縁を裁断刃４７に対向させるか、或いは裁断位置に位置させる保持回転手段として例えばシート保持回転部１０４、及びシート又はシート束を移動させて後述する裁断刃４７に対して接近、離間させる位置変更手段として例えば導入排出ローラ４５及び導入排出ころ４５ａ（図１、図２参照）、シート裁断装置を制御する制御部９６等を有している。なお、シート又はシート束の縁を裁断するとき、シートサイズによっては（例えば、正方形のシート）、シート又はシート束の位置を変更する必要が無い場合があるので、シート裁断時に、位置変更手段である例えば導入排出ローラ４５及び導入排出ころ４５ａを必要としないことがある。
【００６０】
シート裁断部１０３を説明する。
【００６１】
裁断刃４７は、刃物台８２に設けられて、裁断刃収納ケース８３に刃先を出して収納されている。裁断刃４７は、両側に刃４７ａを形成してある。裁断刃４７は、裁断刃収納ケース８３に形成した長孔８４と刃物台８２に突設されて長孔８４に係合したピン８５との案内と、付勢ばね８６の付勢力とによって、シートに接近するようになっている。裁断刃４７、裁断刃収納ケース８３等は、移動ユニット４８を形成している。
【００６２】
移動ユニット４８は、シートの任意の側面を裁断するため、平行な１対の誘導軸６３，６３を案内にして、矢印Ｅ方向に往復移動するようになっている。この誘導軸６３は、側板６４、６５によって支えられている。側板６４、６５は、シート保持台６２に直角に固定配置してある。移動ユニット４８には、ベルト６６の一部を固定してある。ベルト６６は、ベルトギア６７とベルト駆動ギア６８に張り渡してある。ベルト駆動ギア６８には、移動ユニットモータ６９の出力軸６９ａに取り付けたモータギア７０が中間ギア８７を介して係合している。したがって、裁断刃４７は、移動ユニットモータ６９が正逆回転すると、モータ６９の回転力がベルト駆動ギア６８及びベルト６６によって直線往復移動力として受けて、誘導軸６３，６３を案内にして、移動ユニット４８とともに往復移動するようになっている。
【００６３】
シートを受け止める保持台６２には、移動ユニット４８の移動方向に沿って、移動ユニットセンサＳ６ａ，Ｓ６ｂ，Ｓ６ｃを配列してある。移動ユニットセンサＳ６ａ，Ｓ６ｂ，Ｓ６ｃには、例えば、フォトセンサを使用している。移動ユニット４８に遮光板７１を設けてある。移動ユニット４８は移動すると、遮光板７１が移動ユニット４８と一体に移動して、移動ユニットセンサＳ６ａ，Ｓ６ｂ，Ｓ６ｃを遮ることによって、位置を検知され、後述する制御部９６によって、移動、停止制御されるようになっている。
【００６４】
シート保持部１０２を説明する。
【００６５】
シート押さえ部材４６は、スライド板７２に複数のばね８８によって吊り下げるようにして設けてある。受け止め板である例えば保持台６２は、シート受け面６２ａで、押圧部材である例えばシート押さえ部材４６によって押圧されたシート束を受け止めるようになっている。
【００６６】
スライド板７２は、シートに接近離間できるように２本のスクリュー軸７３に支持してある。２本のスクリュー軸７３の端部には、ギア７４をそれぞれ固定してある。ギア７４，７４には、ベルト７５を張り渡してある。一方のギア７４には、押さえ部材シフトモータ７６の出力軸に取り付けたギア７７が噛み合っている。したがって、押さえ部材シフトモータ７６の回転は、ギア７７、ギア７４、ベルト７５を介して、スクリュー軸７３に伝達されるようになっている。スライド板７２には、遮光板７８を設けてある。遮光板７８は、側板６４に取り付けたフォトセンサＳ７を遮ることによって、押さえ部材４６のホームポジション及び下降量等の制御を行えるようにしている。保持台６２は、シート受け面６２ａを水平面に対して垂直にして配設してある。
【００６７】
シート保持回転部１０４を説明する。
【００６８】
保持台６２には、回転部材である例えば回転ガイド９０と、回転ガイド９０外周に設けたギアに噛み合う回転モータ９１を取り付けてある。回転ガイド９０は、保持台６２に回転自在に設けてある。回転モータ９１は、回転ガイド９０を回転させるようになっている。回転モータ９１はパルスモータであり、回転モータ９１の回転量はパルス数により管理されるようになっている。回転ガイド９０に対向する位置には、押圧部材である例えば圧接ガイド９２を配置してある。圧接ガイド９２は、圧接ばね９３により、回転ガイド９０方向に付勢されている。そして、圧接ガイド９２は、圧接ソレノイド９５が吸引動作をするとレバー９４，９７によって、昇降するようになっている。また、圧接ガイド９２は、レバー９７に例えばユニバーサルジョイント等で回転自在に設けてある。
【００６９】
また、シートを後処理するため、図１に示すように、フィニッシャ１９の内部には、フィニッシャ１９の入り口部に配設したシート検知センサＳ１、昇降トレイ４０上のシートの最上面を検知する紙面検知センサＳ２、ステイプラセンサＳ３（図３参照）、反転するシートを検知する反転センサＳ４、シート裁断装置４４において裁断停止位置を検知する裁断センサＳ５、図５に示す裁断刃４７を有する移動ユニット４８の移動、停止を制御するときに移動ユニット４８の位置を検知する移動ユニットセンサＳ６、シート押さえ部材４６のホームポジション等を検知する押さえ部材センサＳ７等を設けてある。
【００７０】
これらのセンサＳ１乃至Ｓ７は、装置全体の駆動を制御する制御部９６に接続してある。制御部９６は、ＣＰＵを有している。制御部９６は、各センサからの検知信号に基づいて、前述した各モータ６９，７６，９１等を回転制御するとともに、圧接ソレノイド９５、搬送ソレノイド、ストッパソレノイド等の励磁制御を行うようになっている。なお、制御部９６は、複写機装置本体１内に備えた制御部内に一体に組み込まれていてもよい。
【００７１】
次に、各処理モード選択時におけるフィニッシャ１９の動作を説明する。
【００７２】
（スタックモード選択時のフィニッシャの動作説明）
図１に示す複写機１００の排紙ローラ対２１から排出されたシートは、シート検知センサＳ１により検知される。すると、不図示の排出モータが始動して、排出ローラ対２２を回転させる。不図示の排出モータは、少なくともシートの後端が排出ローラ対２２のニップを通過するまで回転する。この結果、シートは、処理トレイ２３上に排出されて、積載される。
【００７３】
次に、不図示の整合モータが始動する。すると、整合板２４が、シート搬送方向に対して交差する方向、すなわち、シートの幅方向に移動して、処理トレイ２３に積載されているシートの両側に当接して、シートの幅を揃える。この整合動作は、所定枚数回、繰り返して行われる。そして、不図示の搬送ソレノイドが作動して、搬送上ローラ３３を搬送下ローラ３０に接近させて圧接させる。
【００７４】
その後、図３に示す搬送モータ５５が回転する。すると、搬送ローラ対３０、３３が回転して、前述の整合されたシート束を昇降トレイ４０の方向（図１中、矢印ａ方向）に移動させる。また、搬送モータ５５の回転によって、第１プーリ２８も回転して、搬送ベルト３１が循環する。前述したように、シート束の後端は、搬送ローラ対３０，３３、搬送ベルト３１に突設した押し出し爪３２の順に受け渡される。最終的に、シート束は、昇降トレイ４０に押し出されて積載される。
【００７５】
そして、不図示のトレイシフトモータが回転して、昇降トレイ４０を所定量下降させる。その後、トレイシフトモータが逆転して、昇降トレイ４０を上昇させる。このとき、紙面検知センサＳ２が積載シート束の最上面を検知すると、トレイシフトモータは停止して、昇降トレイ４０の上昇を停止させる。
【００７６】
（ステイプルモード選択時のフィニッシャの動作説明）
処理トレイ２３上へ所望枚数のシートの排出、積載、及び整合に関するシーケンスは、前述のスタックモードと同一のシーケンスであるので、そのシーケンスの説明は、省略する。
【００７７】
処理トレイ２３上のシート束の整合終了後、ステープラ３４、３５は、処理トレイ２３上のシート束の端部を綴じる。綴じる箇所は、１箇所、或いは複数箇所である。本実施形態のフィニッシャ１９は、不図示のステイプラモータ及び図３に示すステイプラシフトモータ５８が、ステープラ３４、３５を図３の実線位置に移動させて、ステープラ３４、３５によって、シート束の１箇所を綴じるか、或いは図３の一点鎖線の位置に交互に移動させて２箇所綴じるようになっている。
【００７８】
綴じ処理が終了すると、前述したスタックモードと同様に、搬送モータ５５が始動して、搬送ローラ対３０，３３、搬送ベルト３１、及び搬送ベルト３１の押し出し爪３２により昇降トレイ４０上にシート束を移送して、積載する。
【００７９】
（裁断処理モード選択時のフィニッシャの動作説明）
まず、フィニッシャ１９は、前述のステイプルモードと同様に、処理トレイ２３上にシートを積載して整合し、その後、綴じ処理を行う。そして、不図示の搬送ソレノイドが励磁して、搬送ローラ対３０，３３にシート束を狭持させる。
【００８０】
ここで、不図示のストッパソレノイドが励磁して、ストッパ２５を図２の一点鎖線の位置から実線の位置へ回動させる。これにより、シートの第２の方向（図１の矢印ｂ方向）への搬送が可能となるように搬送路が開放される。そして、図３に示す、搬送モータ５５がスタックモードやステイプルモードとは反対方向に回転して、搬送ローラ対３０，３３に狭持したシート束を第２の方向（図１の矢印ｂ方向）へ搬送させる。
【００８１】
シート束の先端が図１、図２に示す反転センサＳ４に検知されると、不図示の反転モータが、始動して、反転ローラ４３を回転させ、シート束を図１の矢印ｃ方向へ搬送させる。その後、シート束の後端を反転センサＳ４が検知すると、反転フラッパーソレノイド７９が、励磁して、反転フラッパー４２を不図示のばねにより図１に示す実線の位置に付勢させている位置から、一点鎖線で示す位置へ回動させる。
【００８２】
それとともに、不図示の反転モータが逆回転して、反転ローラ４３によって、図１の矢印ｄ方向にシート束を搬送させる。その後、シート束は、導入排出ローラ４５に狭持、搬送されて、先端を裁断センサＳ５によって検知される。すると、制御部９６は、導入排出ローラ４５を停止させて、シート束を保持台６２上の裁断位置に停止させる。続いて、図５に示す、押さえ部材シフトモータ７６が始動して、ギア７４等を介して係合している一対のスクリュー軸７３，７３を回転させる。
【００８３】
これにより、ホームポジションにあったスライド板７２と、このスライド板７２にばね８８を介して設けられ、一定の押さえ圧を常にシート束に与えることのできる押さえ部材４６とを、所定の裁断位置にあるシート束上に降下させ、そのシート束を押さえ部材４６で押さえて保持台６２上に固定する。
【００８４】
その後、図５、図６に示す移動ユニットモータ６９が、始動して、ホームポジション（図５、図６の実線位置）にいる移動ユニット４８を矢印Ｅ方向へ移動させる。図５に示すように、移動ユニット４８の裁断刃４７は、図７（ｂ）に示すように、シート束の任意の側面近傍を徐々に裁断していく。
【００８５】
このとき、図７（ａ）に示すように、シート保持台６２を水平面に対して略垂直に設けてあるので、裁断刃４７よって切り取られたシート裁断屑Ｐｄの一部は、図７（ｂ）に示すように瞬時に自重によって垂れ下がるようにして除去されていく。このため、シート裁断屑が、図１８で前述した従来のシート裁断屑Ｐｄと異なって、裁断刃４７のスライド動作の進路を妨げることがなくなるので、この裁断中の裁断刃４７は、スムーズに移動することができて、シート束の不揃いの部分を確実に、かつ正確に裁断して、シート束の端面を整えることができる。
【００８６】
図６の矢印Ｆ方向に移動した移動ユニット４８は、この移動ユニット４８に設けた遮光板７１が移動ユニットセンサＳ６ｃを遮光すると停止して、そこで、シート束の側面の裁断処理が終了する。そして、今まで垂れ下がっていたシート裁断屑が自重によって落下して、確実にダストボックス４９に回収される。
【００８７】
なお、本実施形態のフィニッシャ１９は、裁断刃４７の片側方向の１回のスライド運動で、約１０枚までのシートを裁断することができる。このため、数１０枚のシートの裁断を行うときには、それに応じて複数回の裁断刃４７の往復スライド運動が必要になる。仮に、１回の片側方向のスライド運動で、数１０枚のシートを裁断すると、裁断能率が向上するが、その反面、移動ユニット４８を移動させる移動ユニットモータ６９にかなり大きな負担が加わり、これによって、装置の大型化、コスト高、構造の強度アップ等の別の問題が発生する。このため、裁断能率と、装置の大きさ、コスト、構造とを考慮して、１回のスライド運動によって可能なシート裁断枚数を設定してある。
【００８８】
数１０枚のシート束を裁断する場合、まず、移動ユニットモータ６９が、正回転して、移動ユニット４８を、ホームポジションの移動ユニットセンサＳ６ａから、遮光板７１が終端の移動ユニットセンサＳ６ｃを遮光する位置まで往動させて、停止させる。そして、移動ユニットモータ６９が、逆回転して、移動ユニット４８を、遮光板７１が移動ユニットセンサＳ６ｃを遮光しているポジションから、図６の矢印Ｆ方向とは逆の方向へ復動させることで、その下に積載してある、次の約１０枚のシートの裁断を行う。移動ユニット４８の遮光板７１が始端の移動ユニットセンサＳ６ｂを遮光することで、該移動ユニット４８は停止して、そこで、次の１０枚のシートの裁断が終了する。
【００８９】
以後、制御部９６は、移動ユニットモータ６９の正回転、逆回転を繰り返して、目的のシート束の裁断枚数に応じた回数だけ、移動ユニット４８に往復スライド裁断動作を繰り返えさせて、１つのシート束の裁断を終了する。
【００９０】
以上の動作において、裁断刃４７は、１回のスライド裁断動作で、必ず、１０枚のシートを裁断できるとは限らないので、例えば、５０枚のシートを裁断するとき、５回のスライド動作に追加して、もう１回のスライド動作を行って、裁断不良を防止し、移動ユニット４８をホームポジション（移動ユニット４８の遮光板７２が移動ユニットセンサＳ６ａを遮光する位置）に戻るようになっている。裁断処理が終了すると、押さえ部材シフトモータ７６が、逆回転して、押さえ部材４６をシート束から離し、該押さえ部材４６をホームポジションに戻す。
【００９１】
次に、平面視長方形のシート束の３辺を裁断するときの動作を説明する。押さえ部材４６がシート束を保持台６２に押さえ付けた状態で、裁断刃４７が、最初、３辺の内、短辺の裁断を終了すると（図８（ａ））、図１、図２に示す、導入排出ローラ４５と導入排出ころ４５ａがシート束を挟持する。図５に示す、押さえ部材４６が保持部材６２に対する押さえ付けを解除して、導入排出ローラ４５と導入排出ころ４５ａとによってシート束を搬送できるようにする。導入排出ローラ４５と導入排出ころ４５ａがシート束を搬送して、シート束Ｐの平面視中心Ｐｏを回転ガイド９０に一致させる（図８（ｂ））。圧接ソレノイド９５が、作動して、圧接ガイド９２がシート束を回転ガイド９０に押し付ける。導入排出ローラ４５と導入排出ころ４５ａがシート束の挟持を解除してシート束が回転できるようにする。回転モータ９１が回転ガイド９０を９０度回転させる。これによって、シート束も９０度回転する（図８（ｃ））。シート束の回転終了後、導入排出ころ４５ａと導入排出ローラ４５は、シート束を再度挟持する。圧接ソレノイド９５が、圧接ガイド９２をシート束から離して、導入排出ころ４５ａと導入排出ローラ４５とによってシート束が搬送できるようにする。導入排出ローラ４５が、シート束を規定量移動させる。シート束は裁断位置Ｃｐに移動する（図８（ｄ））。押さえ部材４６がシート束を保持台６２に押さえ付ける。導入排出ころ４５ａと導入排出ローラ４５は、シート束の挟持を解除する。裁断刃４７は、上記裁断動作を再度行って、シート束の２辺目の裁断を行う。
【００９２】
シート裁断装置４４は、シート束の２辺目の裁断を終了した後、上記回転動作と同様な回転動作によって、シート束を１８０度回転させて、３辺目の裁断を行う。シート裁断装置４４は、３辺の裁断を終了した後、上記回転動作によってシート束を９０度回転させて、シート束の向きを裁断前と同じ向きにする。
【００９３】
シート束を裁断する辺は、複写機の装置本体１からの指示、或いはフィニッシャ１９からの指示によって裁断されるようになっている。裁断される辺は、上記の３辺に限定さるものではない。４辺、２辺、１辺の場合もある。１辺の場合には、長辺と短辺のいずれかである。また、以上の説明では、四角形のシート束についての裁断であるが、四角形に限定されない。
【００９４】
その後、図１、図２に示す受け渡しソレノイド８０が、受け渡しフラッパー８１を、不図示のばねによって実線位置に付勢されている位置から、一点鎖線位置に移動させる。そして、導入排出ローラ４５が回転を開始する。裁断処理を終了したシート束は、受け渡しフラッパー８１、排出ローラ５０へ搬送される。シート束は、導入排出ローラ４５と回転開始をともにしている該排出ローラ５０に狭持されて搬送され、最後に、スタックトレイ５１に排出されて、積載される。
【００９５】
以上説明したように、本実施形態のシート裁断装置４４は、裁断処理においてシート束を保持するシート保持台６２を略垂直に配設してあるので、シート保持台を水平面に配設した従来のシート裁断装置と比べて、シート束裁断のときに発生するシート裁断屑を自重によって、裁断刃４７近傍から除去することができる。したがって、シート裁断装置４４は、シート裁断屑がスライド移動している裁断刃に巻き込まれたり、押し出されたりして、バラバラに散乱したりすることがないので、シート裁断屑の除去不良によるジャム等の発生を防止することができる。
【００９６】
また、本実施形態のシート裁断装置４４は、シート裁断屑が裁断刃近傍から瞬時に離れるので、スライドする裁断刃にシート裁断屑が巻き込まれることがなくなり、裁断刃をスムーズに移動させることができるので、シート束に良好な裁断面を形成することできる。
【００９７】
また、本実施形態のシート裁断装置４４は、シート保持台６２を略垂直に配設してあるので、シート裁断装置４４を縦型にすることができて、設置面積を狭めることができる。しかも、シート裁断屑が落下する真下にダストボックス４９を配設してあるので、ダストボックス４９をシート裁断装置の厚みの範囲内に納めることができて、シート裁断装置４４の設置面積を狭めることができる。
【００９８】
（他の実施形態）
以上のシート裁断装置は、シート束の３辺を裁断するとき、図８に示すように、シート束の短辺を裁断した後、シート束を移動（図８（ｂ））、９０度回転（図８（ｃ））、移動（図８（ｄ））させて、長辺を裁断するようになっているが、シートサイズによっては、図９に示すように、シート束の長辺を裁断した後（図９（ａ））、シート束を移動し（図９（ｂ））、９０度回転させたとき（図９（ｃ））、短辺が裁断位置Ｃｐに一致するようなことがある。このような場合、図８（ｃ）から図８（ｄ）への動作を省略することができる。図９に示す裁断順序であると、図８に示す裁断順序より、裁断工程が少なくなり、裁断作業能率を高めることができる。
【００９９】
さらに、正方形のシート束で、シート束Ｐの中心Ｐｏが、回転ガイド９０の中心９０ｃと一致している場合には、シート束を移動させることなく、９０度回転させることによって、裁断する辺を裁断位置Ｃｐに一致させて裁断することができる。
【０１００】
以上の各実施形態は、シート束Ｐの中心Ｐｏを、回転ガイド９０の中心９０ｃに一致させて或いは近傍に位置させて、シート束を回転させているが、必ずしも、両方の中心Ｐｏ，９０ｃを一致させて、或いはシート束Ｐの中心Ｐｏを回転ガイド９０の中心９０ｃ近傍に位置させてシート束Ｐを回転させる必要がない。すなわち、図１０（ａ）に示す位置でシート束を裁断した後、移動させることなく、そのままシート束の中心Ｐｏから外れた位置を回転ガイド９０と圧接ガイド９２（図５参照）とで挟持して回転ガイド９０の回転によって、シート束を９０度回転させる（図１０（ｂ））。その後、シート束Ｐを裁断位置Ｃｐに移動させて（図１０（ｃ））、裁断する。この裁断順序による裁断は、シート束を図１０（ｃ）に示す裁断位置Ｃｐに移動させたとき、シート束がシート裁断範囲Ｗ内に入っていれば行うことができる。図１０に示す裁断順序であると、図８に示す裁断順序より、裁断工程が少なくなり、裁断作業能率を高めることができる。
【０１０１】
なお、以上のシート束の中心Ｐｏは、シート束の平面視中心であるが、シート束の厚みが均一である場合、シート束の重心と一致するのは勿論である。
【０１０２】
また、図１１（ａ）に示すように、公知の特開平１１−１９３１７６号公報等に開示してあるシート後処理装置の中綴じ製本装置１１０の出口部分に本実施形態のシート裁断装置４４を斜めに配設することによって、図１１（ｂ）の拡大図で示すように、中綴じ製本後の見開き側の尖っている部分を、本実施形態のシート裁断装置４４で、裁断して、シート束の端部を良好な裁断面に整えることができる。
【０１０３】
また、前述した実施形態のシート裁断装置４４は、裁断刃４７が、シート束の任意の一辺に対し平行に往復移動して裁断処理を行うようになっているが、図１２に示すように、裁断刃１１１がシート束の表面に対して交差する方向の矢印方向に斜めに移動して、ギロチンのように裁断処理を行う１枚の刃であってもよい。
【０１０４】
このギロチン方式の裁断処理では、平行往復裁断処理とは違い、図１２（ａ）に示すように、シート束を１回の裁断刃１１１の斜め下降動作で一度に裁断するので、より下に積載されているシートを裁断刃１１１が裁断していこうとすればするほど、該下降していく裁断刃１１１よって、裁断されたシート裁断屑Ｐｄが引き込まれていき、裁断刃１１１にシート裁断屑Ｐｄからの力（図１２（ｂ）矢印Ｓ方向の力）が発生する。これによって、裁断刃１１１が撓みながら下降するおそれがあるので、裁断面を整えるの困難である。
【０１０５】
しかし、図１２に示す本実施形態のシート処理装置１４４は、保持台６２が垂直になっているので、シート裁断屑が、裁断されたシート束と裁断刃１１１とから瞬時に離れていくので、上述の裁断刃１１１によるシート裁断屑の引き込みがなくなり、シート裁断屑からの裁断刃１１１を撓まそうとする力も発生することがないので、裁断面を整えた形状にすることができる。なお、保持台６２には、裁断刃１１１の刃先を保護する保護板６２ｂを設けてある。
【０１０６】
図１、図１１に示すシート裁断装置４４の裁断刃４７は、カッターの刃のような形状になっており、また、図１２におけるシート裁断装置１４４の裁断刃１１１は、板状になっているが、図１３に示すように、回転刃である例えば円形状の裁断刃１４７にしてもよい。詳細の機構は省くが、円形の裁断刃１４７は、ばね等の付勢力により、シートに接近するように、またそこで回転可能に構成されている。円形の裁断刃１４７は、回転してシート束を裁断するので、カッターのよう形状をした裁断刃４７や板状の裁断刃１１１よりも、裁断する刃のポイントが変化して、長期間使用することができ、裁断刃の交換回数を少なくすることができる。この場合、裁断刃１４７は、図１３において左方向へ移動するとき左回転し、右方向へ移動するとき右回転すると、シート束を、保持台６２に押さえ付けて確実に裁断することができる。
【０１０７】
さらに、図１４、図１５に示すように、シート裁断装置４４，１４４に除去手段である例えばはたきパドル１１２を設けてもよい。すなわち、シート裁断装置４４，１４４のシート保持台６２を水平面と直交する角度（垂直）、または、直交する角度をはさんで±約６０度程度の範囲内に傾斜させるととともに、モータＭによって回転するはたきパドル１１２等の除去機構をさらに加え、このはたきパドル１１２をシート裁断屑がダストボックス４９に落下できるように回転させることで、より確実にシート裁断屑を除去することができる。
【０１０８】
以上説明したシート裁断装置４４，１４４を備えた複写機は、シート裁断装置によって端面を整えた画像形成済みのシート又はシート束を供給することができる。また、複写機は、設置面積の狭い、シート処理装置１９を備えているので設置する場所の制約を受けることが少なくなる。
【０１０９】
以上の説明では、画像形成装置として複写機を例示したが、本発明はこれに限定するものではなく、例えば、プリンタ、ファクシミリ、これらの複合機等の他の画像形成装置であってもよい。他の画像形成装置に用いられるシート処理装置に、本発明のシート裁断装置を適用することにより、同様な効果を得ることができる。
【０１１０】
また、前述した実施形態では、複写機の装置本体に対して着脱自在なシート処理装置を例示したが、本発明は複写機の装置本体に一体的に装備してもよい。この場合においても、シート処理装置に本発明を適用することにより同様の効果を得ることができる。
【０１１１】
また、前述した実施形態では、記録方式として電子写真方式を例示したが、これに限定されるものではなく、例えば、インクジェット方式等の他の記録方式であっても良い。
【０１１２】
また、前述した実施形態では、シート処理装置のフィニッシャの内部において、シート束を作成するのにステープラを例示したが、これに限定されるものではなく、例えば、糊付け製本機構等のシート束作成装置であっても良い。
【０１１３】
【発明の効果】
本発明のシート裁断装置は、シートに裁断処理を行ったときに発生するシート裁断屑を自重によって、裁断刃近傍から除去することができるので、シート裁断屑がスライド移動している裁断刃に巻き込まれたり、押し出されたりして、バラバラに散乱してしまうことがないので、シート裁断屑の除去不良によるジャム等の発生を防止することができる。
【０１１４】
本発明のシート裁断装置は、シート裁断屑が裁断刃近傍より瞬時に離間することで、スライドする裁断刃にシート裁断屑が巻き込まれることがなく、裁断刃を円滑に移動させることができるので、良好な裁断面に整えることができる。
【０１１５】
本発明のシート裁断装置は、保持手段がシート又はシート束を垂直又は斜め保持するようになっているので、縦型にして、設置面積を少なくすることができるので、設置場所の制約を受けることが少なくなる。
【図面の簡単な説明】
【図１】本発明の実施形態の画像形成装置である例えば複写機のシート搬送方向に沿った断面図である。
【図２】図１の複写機に装備したシート処理装置の拡大図である。
【図３】シート処理装置内の処理トレイとステープラの平面図である。
【図４】搬送ベルト周辺の図である。
（ａ）  搬送ベルト、プーリ等の斜視図である。
（ｂ）  搬送ベルト周辺の正面図である。
【図５】本発明の実施形態のシート裁断装置をシート搬送方向から見た図である。
【図６】図５のシート裁断装置を上方から見た図である。
【図７】図５に示すシート裁断装置の裁断刃がシート束を裁断している状態を示す図である。
（ａ）  シート束を裁断刃の移動方向から見た図である。
（ｂ）  （ａ）を左から見た概略図である。
【図８】シート束の裁断順序を説明するための図である。
（ａ）  シート束の１辺を裁断した状態の図である。
（ｂ）  シート束を裁断位置から後退させた状態の図である。
（ｃ）  シート束を９０度回転させた状態の図である。
（ｄ）  シート束を裁断位置に前進させた状態の図である。
【図９】シート束の他の裁断順序を説明するための図である。
（ａ）  シート束の１辺を裁断した状態の図である。
（ｂ）  シート束を裁断位置から後退させた状態の図である。
（ｃ）  シート束を９０度回転させた状態の図である。
【図１０】シート束の他の裁断順序を説明するための図である。
（ａ）  シート束の１辺を裁断した状態の図である。
（ｂ）  シート束を９０度回転させた状態の図である。
（ｃ）  シート束を裁断位置に前進させた状態の図である。
【図１１】図５に示すシート裁断装置を中綴じ製本装置を有するシート処置装置に装備したときの状態図である。
（ａ）  シート処理装置のシート搬送方向に沿った断面図である。
（ｂ）  シート裁断装置の裁断刃による中綴じシート束の裁断状態を示す拡大図である。
【図１２】他の実施形態のシート裁断装置の図である。
（ａ）  シート搬送方向から見た図である。
（ｂ）  裁断刃がシート束を裁断している状態の図である。
【図１３】裁断刃の他の実施形態の図であり、回転してシート束を裁断する円形の裁断刃の図である。
【図１４】シート裁断装置に、はたきパドルを設けた複写機の断面図である。
【図１５】はたきパドルの拡大図である。
【図１６】従来のシート裁断装置を備えた複写機のシート搬送方向に沿った断面図である。
【図１７】従来のシート裁断装置の動作説明用の図である。
【図１８】従来のシート裁断装置において、シート束を裁断しているときの裁断刃の状態を説明するための図である。
【符号の説明】
Ｎ      ニップ
Ｓ１      シート検知センサ
Ｓ２      紙面検知センサ
Ｓ３      ステイプラセンサ
Ｓ４      反転センサ
Ｓ５      裁断センサ
Ｓ６ａ，Ｓ６ｂ，Ｓ６ｃ      移動ユニットセンサ
Ｓ７      押さえ部材センサ
Ｃｐ      裁断位置
Ｍ      モータ
Ｄ      原稿
Ｐ      シート束
Ｐａ    シート端部
Ｐｄ    シート裁断屑
Ｗ      シート裁断範囲
１      複写機（画像形成装置）本体
２      原稿送り装置
１４      感光体ドラム（画像形成手段）
１６      転写装置
１７      定着装置
１９      フィニッシャ
４４      シート裁断装置
４５      導入排出ローラ（位置変更手段）
４５ａ    導入排出ころ（位置変更手段）
４６      押さえ部材（押圧部材）
４７      裁断刃
４７ａ    刃
４８      移動ユニット
４９      ダストボックス
６２      保持台（受け止め板）
６２ａ    シート受け面
９０      回転ガイド（回転部材）
９０ｃ    回転ガイドの中心
９２      圧接ガイド（押圧部材）
９８      フィニッシャの装置本体
１００      複写機（画像形成装置）
１０２      シート保持部（保持手段）
１０３      シート裁断部（裁断手段）
１０４      シート保持回転部（保持回転手段）
１１０      中綴じ製本装置
１１１      裁断刃
１１２      はたきパドル
１４４      裁断装置
１４７      裁断刃（回転刃）
【図１】
2005040890.tif 000003
【図２】
2005040890.tif 000004
【図３】
2005040890.tif 000005
【図４】
2005040890.tif 000006
【図５】
2005040890.tif 000007
【図６】
2005040890.tif 000008
【図７】
2005040890.tif 000009
【図８】
2005040890.tif 000010
【図９】
2005040890.tif 000011
【図１０】
2005040890.tif 000012
【図１１】
2005040890.tif 000013
【図１２】
2005040890.tif 000014
【図１３】
2005040890.tif 000015
【図１４】
2005040890.tif 000016
【図１５】
2005040890.tif 000017
【図１６】
2005040890.tif 000018
【図１７】
2005040890.tif 000019
【図１８】
2005040890.tif 000020